(57)【特許請求の範囲】
【請求項１】
複数の患者の生体情報を患者の属性情報と共に同時に各患者毎に画面領域をそれぞれ横方向に縦分割して表示するように表示画面を設定した生体信号モニタ装置のディスプレイ手段における複数患者データの縦分割表示方式において、
前記表示画面の画面領域を縦分割して形成された各ブロック表示画面には、患者の属性情報と患者の現在の生体信号波形とを表示すると共に、前記生体信号波形の過去分の圧縮波形を表示するように設定したことを特徴とする複数患者データの縦分割表示方式。
【請求項２】
前記画面表示された圧縮波形に重ねて、他の生体数値情報を表示するように設定したことを特徴とする請求項１記載の複数患者データの縦分割表示方式。
【請求項３】
前記現在の生体信号波形を圧縮して表示するように設定したことを特徴とする請求項１または２記載の複数患者データの縦分割表示方式。
【発明の詳細な説明】
【０００１】
【発明の属する技術分野】
本発明は、多人数用生体信号モニタ装置に係り、特に複数患者の心電図等の生体信号をモニタするために画面表示を行う生体信号モニタ装置のディスプレイ手段において、患者の生体信号のデータ処理を行う場合に必要とされる患者氏名等の患者の属性情報とその生体情報とを、患者毎に横方向にそれぞれ縦分割して画面表示することによって、患者の生体情報を多面的に設定表示することができる複数患者データの縦分割表示方式に関するものである。
【０００２】
【従来の技術】
ＩＣＵやＣＣＵ、その他救急病棟に収容されている重症患者、あるいは手術中の患者や救急搬送中の患者であって、病体が急変する可能性がある患者は、常時心電図や呼吸等の生体信号をモニタする必要がある。この目的のために使用されるのが患者監視装置（生体信号モニタ装置）であり、特に心電図、血圧、動脈血酸素飽和度（Ｓp Ｏ2 ）、体温、心拍数、呼吸数等を、それぞれリアルタイムでモニタすることができる。
【０００３】
特に、ＣＣＵ施設等においては、虚血性心疾患患者の早期発見および早期治療のために、患者に対する長時間に亘る心機能のモニタが必要である。このため、例えば多人数用の集中患者監視装置（セントラル生体信号モニタ装置）をナースステーションに設けて、多人数の患者の心電図情報を素早く得るように設備されている。
【０００４】
前述したような集中患者監視装置としては、一般に４人用の無線テレメータ方式を採用したものが知られている。従って、この種の集中患者監視装置は、４人用の心電図・呼吸曲線等と心拍数を表示し、スイッチ操作等でモニタ画面を切り換えると、過去数時間分の心拍数変化、すなわち心拍トレンドグラフを表示することができる。また、心電図以外のパラメータとして、動脈血酸素飽和度（Ｓp Ｏ2 ）、血圧、呼吸、体温の数値情報も表示することができる。
【０００５】
また、前記集中患者監視装置においては、心拍数の上限と下限とを設定することができ、これにより心拍数がその範囲を越えた場合、例えば心室性頻脈や心停止が生じた時にアラーム音を発し、アラームランプを点灯し、その患者の心電図を自動記録する機能を備えている。さらに、医療スタッフが患者の心電図を観察し、変化が生じた時に心電図を記録したり、ある一定時間毎に数秒間の自動記録を行い、長時間に亘る波形の変化を見ることもできる。
【０００６】
しかるに、前述したような従来の生体信号モニタ装置において、多人数の患者の心電図情報を素早く得るように設定する場合、ディスプレイ手段の表示画面における画面表示においては、前記表示画面の画面領域を患者毎にそれぞれ縦方向に横分割して表示するのが一般的である。
【０００７】
このため、従来のディスプレイ手段においては、患者の心電図の波形表示を基本として、そのリアルタイムに変化する波形を横方向に延長して画面表示し、他の測定パラメータである呼吸曲線、体温、血圧、ＳｐＯ2 （動脈血液酸素飽和度）、非観血血圧等については、前記波形と同時に所要の画面領域において波形表示するように設定することは困難であった。従って、前記他の測定パラメータについては、前記波形と同時に所要の画面領域において、せいぜい数値表示できる程度であった。
【０００８】
また、過去数時間分の心拍数変化、すなわち心拍トレンドグラフを表示させる場合においても、リアルタイムに変化する波形をモニタすると同時に所要の画面領域において、表示することは困難であり、いちいち表示画面を切り替える操作を必要とし、その作業が著しく面倒となる難点があった。
【０００９】
【発明が解決しようとする課題】
従って、前記従来の多人数用の生体信号モニタ装置におけるディスプレイ手段においては、複数患者の生体情報等に関するデータを画面表示するに際し、同時に所要の画面領域において多数の測定パラメータを波形によるイメージ情報の表示を行うことが困難であるため、特に病体が急変する可能性がある患者に対して、治療のための適正かつ確実な判定を行うのに十分な患者データを、簡易かつ迅速にモニタすることが困難となる難点がある。
【００１０】
そこで、本発明者は、多人数用の生体信号モニタ装置におけるディスプレイ手段において、複数患者の生体情報等に関するデータを同時に所要の画面領域において表示する場合、表示画面の画面領域を患者毎にそれぞれ横方向に縦分割して画面表示することにより、多数の測定パラメータの現在の状態の表示および過去分のトレンド表示を、それぞれ縦方向に多段に設定表示することができることを突き止めた。
【００１１】
従って、本発明の目的は、多人数用の生体信号モニタ装置におけるディスプレイ手段において、患者毎にそれぞれ横方向に縦分割して画面表示することにより、複数患者のそれぞれ多数の測定パラメータに関するデータを、それぞれ縦方向に多段に設定表示して、治療のための適正かつ確実な判定を行うのに十分な患者データを、簡易かつ迅速にモニタすることができ複数患者データの縦分割表示方式を提供することにある。
【００１２】
【課題を解決するための手段】
前記の目的を達成するため、本発明に係る複数患者データの縦分割表示方式は、複数の患者の生体情報を患者の属性情報と共に同時に各患者毎に画面領域をそれぞれ横方向に縦分割して表示するように表示画面を設定した生体信号モニタ装置のディスプレイ手段における複数患者データの縦分割表示方式において、
前記表示画面の画面領域を縦分割して形成された各ブロック表示画面には、患者の属性情報と患者の現在の生体信号波形とを表示すると共に、前記生体信号波形の過去分の圧縮波形を表示するように設定したことを特徴とする。
【００１３】
また、本発明に係る複数患者データの縦分割表示方式においては、前記画面表示された圧縮波形に重ねて、他の生体数値情報を表示するように設定することができる。さらに、前記現在の生体信号波形を圧縮して表示するように設定することができる。
【００１７】
【発明の実施の形態】
次に、本発明に係る複数患者データの縦分割表示方式の実施例につき、添付図面を参照しながら以下詳細に説明する。
【００１８】
図１は、本発明に係る複数患者データの縦分割表示方式を実施する装置構成を示す概略説明図である。すなわち、図１は、生体信号モニタ装置のディスプレイ手段１０の正面図を示し、前記生体信号モニタ装置は、例えば４人の患者Ｐ1 、Ｐ2 、Ｐ3 、Ｐ4 にそれぞれ装着した患者の生体信号を検出するセンサを備えた送信機１２ａ、１２ｂ、１２ｃ、１２ｄから、それぞれ送信される生体信号（生体情報）を受信するように構成されている。
【００１９】
しかるに、前記生体信号モニタ装置のディスプレイ手段１０は、その正面において液晶画面等により構成される表示画面１４と、前記各送信機１２ａ〜１２ｄから送信された生体信号を受信してこれを記録する記録手段１５と、記録された生体信号に関するデータを印刷する印刷手段１６とが設けられている。また、受信された生体信号について、適宜解析手段（図示せず）によりデータ解析を行うと共にアラーム監視を行って、アラーム表示を行うアラーム手段１８が設けられている。なお、前記印刷手段１６の近傍には、記録データの印刷についての指示を行うためのスタート／ストップ・ボタンスイッチ１７が設けられている。また、図１において、参照符号１９は、前記表示画面１４においての画面操作を行うための簡略化された操作パネルを示す。
【００２０】
図２は、本発明に係る生体信号モニタ装置におけるディスプレイ手段１０の表示画面１４において、それぞれモニタ表示を行う場合の具体的な実施例を示すものである。
【００２１】
図２において、前記表示画面１４においては、画面領域を患者毎にそれぞれ横方向に縦分割して、４つのブロック表示部１４Ａ、１４Ｂ、１４Ｃ、１４Ｄに形成したものである。すなわち、本実施例においては、４人の患者について、前記各ブロック表示部１４Ａ〜１４Ｄ毎に、それぞれ患者の属性情報と患者の生体情報とを多段に表示し得るように設定したものである。
【００２２】
そして、前記各ブロック表示部１４Ａ〜１４Ｄにおいては、その上部１４Ａup〜１４Ｄupに、患者の属性情報として「患者氏名」（ｐｎ１〜ｐｎ４）と共に、各患者のそれぞれ多数の測定パラメータに関するデータから、例えば心電図の現在における変化状態等を示す患者の生体情報（ＥＣＧ）を適宜圧縮させて、それぞれ縦方向に多段に設定表示する。また、前記各ブロック表示部１４Ａ〜１４Ｄにおいて、その下部１４Ａdn〜１４Ｄdnには、例えば前記心電図に関する過去数時間分の圧縮波形（ｅｃｇ1 、ｅｃｇ2 、…）を、それぞれ縦方向に多段に設定表示することができる。また、その他の測定パラメータに基づく患者の生体情報として、例えば基準心電図、血圧、動脈血酸素飽和度（Ｓp Ｏ2 ）、体温、心拍数、呼吸数等を、適宜レイアウトして、波形によるイメージ情報ないしは数値情報、トレンドグラフにより、それぞれ表示することができる。
【００２３】
なお、前記表示画面１４において、モニタ表示される各患者の生体情報は、送信機１２ａ〜１２ｄからそれぞれ送信される生体信号が、生体信号モニタ装置の受信手段（図示せず）により受信され、特にグラフック・イメージに対応する信号は、画像処理手段（図示せず）においてグラフック・イメージに変換された後、適宜メモリ（図示せず）に生体情報として記憶されると共に、前記ディスプレイ手段１０の表示画面１４に表示される（図１参照）。
【００２４】
また、前記表示画面１４において、モニタ表示される各患者の属性情報は、サーバに保存されているデータを取り込むか、あるいは端末のデータ入力手段を使用して適宜医療スタッフにより入力設定して、前記表示画面１４に表示することができる。
【００２５】
図３は、本発明に係る生体信号モニタ装置におけるディスプレイ手段１０の表示画面１４において、それぞれモニタ表示を行う場合の別の実施例を示すものである。すなわち、本実施例においては、表示画面１４のブロック表示部の上部に表示する患者の心電図の現在における変化状態等を示す患者の生体情報（ＥＣＧ）を、圧縮させることなく、適宜伸長させて表示した場合を示している。
【００２６】
図４は、本発明に係る生体信号モニタ装置におけるディスプレイ手段１０の表示画面１４において、それぞれモニタ表示を行う場合のさらに別の実施例を示すものである。すなわち、本実施例においては、表示画面１４のブロック表示部の一部において、患者の生体情報に関し、波形によるイメージ情報と数値情報とを二重に重ね合わせて表示した場合を示している。
【００２７】
なお、本発明に係る複数患者データの縦分割表示方式においては、ディスプレイ手段１０の表示画面１４に、図５に示すようなタッチパネル方式のメニュー画面を呼び出し、タッチパネルの個人設定項目として設定された「表示設定」部を操作することにより、図６に示すように、表示画面１４を従来形式の横分割表示方式によるモニタ表示として切り替え設定することも可能である。
【００２８】
以上、本発明の好適な実施例について説明したが、本発明は前記実施例に限定されることなく、例えば各ブロック表示部１４Ａ〜１４Ｄにおいて、それぞれ波形によるイメージ情報として表示される患者の生体情報について、所要の比率により圧縮ないし伸長させて表示させることができるばかりでなく、その他本発明の精神を逸脱しない範囲内において多くの設計変更をすることができる。
【００２９】
【発明の効果】
前述した実施例から明らかな通り、本発明に係る複数患者データの縦分割表示方式によれば、複数の患者の生体情報を患者の属性情報と共に同時に各患者毎に画面領域をそれぞれ横方向に縦分割して表示するように表示画面を設定した生体信号モニタ装置のディスプレイ手段における複数患者データの縦分割表示方式において、前記表示画面の画面領域を縦分割して形成された各ブロック表示画面には、患者の属性情報と患者の現在の生体信号波形とを表示すると共に、前記生体信号波形の過去分の圧縮波形を表示するように設定した構成としたことにより、複数患者の生体情報等に関するデータを同時に所要の画面領域において表示するに際し、多数の測定パラメータの現在の状態の表示および過去分の圧縮波形表示等を、それぞれ縦方向に多段に設定表示することができると共に、治療のための適正かつ確実な判定を簡易かつ迅速に行うことができる等、多くの利点が得られる。
【図面の簡単な説明】
【図１】本発明に係る複数患者データの縦分割表示方式を実施する装置の概略構成を示す説明図である。
【図２】本発明に係る複数患者データの縦分割表示方式による表示画面の一表示例を示す概略説明図である。
【図３】図２に示す複数患者データの縦分割表示方式による表示画面の表示例の変形例を示す概略説明図である。
【図４】図２に示す複数患者データの縦分割表示方式による表示画面の表示例のさらに別の変形例を示す概略説明図である。
【図５】本発明に係る複数患者データの縦分割表示方式において、表示画面の変更を行う場合に使用するメニュー画面の表示例を示す概略説明図である。
【図６】図２に示すモニタ画面を切り替えて従来の複数患者データを横分割表示方式により表示した表示画面の表示例を示す概略説明図である。
【符号の説明】
１０  ディスプレイ手段
１２ａ〜１２ｄ  送信機
１４  表示画面
１４Ａ〜１４Ｄ  ブロック表示部
１４Ａup〜１４Ｄup  ブロック表示部の上部
１４Ａdn〜１４Ｄdn  ブロック表示部の下部
１５  記録手段
１６  印刷手段
１７  スタート／ストップ・ボタンスイッチ
１８  アラーム手段
１９  操作パネル
Ｐ1 〜Ｐ4 患者
ｐｎ1 〜ｐｎ4   患者の属性情報
ＥＣＧ  患者の生体情報
【図１】
0003682617.tif 000002
【図２】
0003682617.tif 000003
【図３】
0003682617.tif 000004
【図４】
0003682617.tif 000005
【図５】
0003682617.tif 000006
【図６】
0003682617.tif 000007